(57)【特許請求の範囲】
【請求項１】
干潮時には海面より上位置になり且つ満潮時には，上部が海面上に突出する四つの第１，２，３，４水槽を設け，各水槽の底には上方から開閉操作可能な第１，２，３，４弁をそれぞれ設け、各水槽内の水面の上位置において，約６時間の間に順次第１，２，３，４ガイドに沿って上昇する各水槽１２個の第１，２，３，４浮子を設け；（い）  第２，３弁が閉じ，第４弁が開き，第１浮子（３ａ）が上昇を始める一度目満潮後期の工程；（ろ）  第４水槽の水面が下がり始め，第４浮子も下がり始め，第１浮子（３ａ〜３ａ）が順次上昇する一度目下げ潮途中の工程；（は）  第１浮子が全部上昇し，第４水槽が空になり，第４浮子が下位でロックされる一度目干潮前半の工程；（に）  第１弁が開き，第１水槽の水が抜け，第１浮子が下位でロックされ，第２浮子（３ｂ）が上昇を始める一度目干潮後半の工程；（ほ）  第１，４水槽に水が入り始め，第２浮子（３ｂ〜３ｂ）が順次上昇する一度目上げ潮途中の工程；（へ）  第１，４水槽の水位が上位置になり，第２浮子全部が上位置になる二度目満潮前半の工程；（と）  第１，４弁が閉じ，第２弁が開き，第３浮子（３ｃ）が上昇を始める二度目満潮後半工程；（ち）  第２水槽内の水面が低下すると共に第２浮子３ｂが下行し，第３浮子（３ｃ〜３ｃ）が順次上昇する二度目下げ潮途中の工程；（り）  第２浮子が下位でロックされ，第３浮子が全部上昇する二度目干潮前半の工程；（ぬ）  第３弁が開いて水が抜け、第３浮子が降下し、下位で第３ロック装置によりロックされ，第４浮子（３ｄ）が上昇を始める二度目干潮後半の工程；（る）  水が第２，３水槽内に入り，第４浮子（３ｄ〜３ｄ）が順次上昇する二度目上げ潮途中の工程；（を）  第２，３水槽内の水面が満潮時の海面と同一水位になり，第４浮子が全部上昇完了する一度目満潮前半の工程；（わ）  （い）〜（を）の繰り返し工程；の繰り返し工程時に、第１，２，３，４浮子の上昇力を動力として取出し、動力伝達装置と動力変換装置を介して動力取出手段に伝えることを特徴とする回転力発生設備。
【請求項２】
干潮時には海面より上位置になり且つ満潮時には，上部が海面上に突出する四つの第１，２，３，４水槽を設け，各水槽の底には上方から開閉操作可能な第１，２，３，４弁をそれぞれ設け、各水槽内の水面の上位置において，約６時間の間に順次第１，２，３，４ガイドに沿って上昇する各水槽１２個の第１，２，３，４浮子を設け；（い）  第２，３弁が閉じ，第４弁が開き，第１浮子（３ａ）が上昇を始める一度目満潮後期の工程；（ろ）  第４水槽の水面が下がり始め，第４浮子も下がり始め，第１浮子（３ａ〜３ａ）が順次上昇する一度目下げ潮途中の工程；（は）  第１浮子が全部上昇し，第４水槽が空になり，第４浮子が下位でロックされる一度目干潮前半の工程；（に）  第１弁が開き，第１水槽の水が抜け，第１浮子が下位でロックされ，第２浮子（３ｂ）が上昇を始める一度目干潮後半の工程；（ほ）  第１，４水槽に水が入り始め，第２浮子（３ｂ〜３ｂ）が順次上昇する一度目上げ潮途中の工程；（へ）  第１，４水槽の水位が上位置になり，第２浮子全部が上位置になる二度目満潮前半の工程；（と）  第１，４弁が閉じ，第２弁が開き，第３浮子（３ｃ）が上昇を始める二度目満潮後半工程；（ち）  第２水槽内の水面が低下すると共に第２浮子３ｂが下行し，第３浮子（３ｃ〜３ｃ）が順次上昇する二度目下げ潮途中の工程；（り）  第２浮子が下位でロックされ，第３浮子が全部上昇する二度目干潮前半の工程；（ぬ）  第３弁が開いて水が抜け、第３浮子が降下し、下位で第３ロック装置によりロックされ，第４浮子（３ｄ）が上昇を始める二度目干潮後半の工程；（る）  水が第２，３水槽内に入り，第４浮子（３ｄ〜３ｄ）が順次上昇する二度目上げ潮途中の工程；（を）  第２，３水槽内の水面が満潮時の海面と同一水位になり，第４浮子が全部上昇完了する一度目満潮前半の工程；（わ）  （い）〜（を）の繰り返し工程；の繰り返し工程時に、第１，２，３，４浮子の上昇力を動力として取出し、取出した動力を動力伝達装置を介して，動力変換装置の前軸に伝え、羽根車状に形成した上昇変換ユニット内のスライドウエイトの移動を，エンドレスベルトを介して，突出滑車に伝え，突出滑車の回動をループベルトを介して後軸に回動可能に嵌合した複合滑車に伝え，複合滑車から動力取出手段を介して外力として取出すことを特徴とする回転動力発生設備。
【請求項３】
干潮時には海面より上位置になり且つ満潮時には，上部が海面上に突出する四つの第１，２，３，４水槽を設け，各水槽の底には上方から開閉操作可能な第１，２，３，４弁をそれぞれ設け、各水槽内の水面の上位置において，約６時間の間に順次第１，２，３，４ガイドに沿って上昇する各水槽１２個の第１，２，３，４浮子を設け；（い）  第２，３弁が閉じ，第４弁が開き，第１浮子（３ａ）が上昇を始める一度目満潮後期の工程；（ろ）  第４水槽の水面が下がり始め，第４浮子も下がり始め，第１浮子（３ａ〜３ａ）が順次上昇する一度目下げ潮途中の工程；（は）  第１浮子が全部上昇し，第４水槽が空になり，第４浮子が下位でロックされる一度目干潮前半の工程；（に）  第１弁が開き，第１水槽の水が抜け，第１浮子が下位でロックされ，第２浮子（３ｂ）が上昇を始める一度目干潮後半の工程；（ほ）  第１，４水槽に水が入り始め，第２浮子（３ｂ〜３ｂ）が順次上昇する一度目上げ潮途中の工程；（へ）  第１，４水槽の水位が上位置になり，第２浮子全部が上位置になる二度目満潮前半の工程；（と）  第１，４弁が閉じ，第２弁が開き，第３浮子（３ｃ）が上昇を始める二度目満潮後半工程；（ち）  第２水槽内の水面が低下すると共に第２浮子３ｂが下行し，第３浮子（３ｃ〜３ｃ）が順次上昇する二度目下げ潮途中の工程；（り）  第２浮子が下位でロックされ，第３浮子が全部上昇する二度目干潮前半の工程；（ぬ）  第３弁が開いて水が抜け、第３浮子が降下し、下位で第３ロック装置によりロックされ，第４浮子（３ｄ）が上昇を始める二度目干潮後半の工程；（る）  水が第２，３水槽内に入り，第４浮子（３ｄ〜３ｄ）が順次上昇する二度目上げ潮途中の工程；（を）  第２，３水槽内の水面が満潮時の海面と同一水位になり，第４浮子が全部上昇完了する一度目満潮前半の工程；（わ）  （い）〜（を）の繰り返し工程；の繰り返し工程時に、第１，２，３，４浮子の上昇力を動力として取出し、取出した動力を動力伝達装置を介して，動力変換装置の前軸に伝え，羽根車状に形成した上昇変換ユニット内のスライドウエイトの移動を，エンドレスベルトを介して突出滑車に伝え，突出滑車の回動をループベルトを介して後軸に回動可能に嵌合した複合滑車に伝え，複合滑車から動力取出手段を介して外力として取出し、後軸の後端に嵌合固着した円盤の後面に描いた仮想円に沿い，枢軸によって軸支したバランスアームが後軸より上位置にあるときは折れ曲がって，後軸の中心線に近接し且つ後軸より下位置にあるときは半径方向外側下方に展開し後軸に対する回転モーメントを大きくすることを特徴とする回転力発生設備。
【発明の詳細な説明】
【技術分野】
【０００１】
この発明は潮の満干による海面の上下変化を利用して、動力として用いることの出来る回転力発生設備に関するものである。
【背景技術】
【０００２】
従来の海面の変化を利用して、回転動力を発生させる設備は、発生させるエネルギー量が小さく且つトルク変動の少ない回転力を発生させることが困難であった。
【０００３】
【特許文献１】特開平０６−１２３２７４号公報
【発明の開示】
【発明が解決しようとする課題】
【０００４】
この発明は、潮の干満に基づく海面の上下を利用して、トルク変動が少なく且つ大きなエネルギーを発生することの出来る回転力発生設備を提供しようとするものである。
【課題を解決するための手段】
【０００５】
図面を参考にして説明する。請求項１の発明に係る回転力発生設備は、干潮時には海面より上位置になり且つ満潮時には，上部が海面上に突出する四つの第１水槽１ａ，第２水槽１ｂ，第３水槽１ｃ，第４水槽１ｄを設け，各水槽の底には上方から開閉操作可能な第１弁２ａ，第２弁２ｂ，第３弁２ｃ，第４弁２ｄをそれぞれ設け、各水槽内の水面の上位置において，約６時間の間に順次第１ガイド６ａ，第２ガイド６ｂ，第３ガイド６ｃ，第４ガイド６ｄに沿って上昇する各水槽１２個の第１浮子３ａ，第２浮子３ｂ，第３浮子３ｃ，第４浮子３ｄを設け；（い）  第２，３弁２ｂ，２ｃが閉じ，第４弁２ｄが開き，第１浮子３ａが上昇を始める一度目満潮後期の工程；（ろ）  第４水槽１ｄの水面８１が下がり始め，第４浮子３ｄも下がり始め，第１浮子３ａ〜３ａが（図３５に示す如く）順次上昇する一度目下げ潮途中の工程；（は）  第１浮子３ａが全部上昇し；第４水槽１ｄが空になり，第４浮子３ｄが下位でロックされる一度目干潮前半の工程；（に）  第１弁２ａが開き，第１水槽１ａの水が抜け，第１浮子３ａが下位でロックされ，第２浮子３ｂが上昇を始める一度目干潮後半の工程；（ほ）  第１，４水槽１ａ，１ｄに水が入り始め，第２浮子３ｂ〜３ｂが（図３６に示す如く）順次上昇する一度目上げ潮途中の工程；（へ）  第１，４水槽１ａ，１ｄの水位が上位置になり，第２浮子３ｂ全部が上位置になる二度目満潮前半の工程；（と）  第１，４弁２ａ，２ｄが閉じ，第２弁２ｂが開き，第３浮子３ｃが上昇を始める二度目満潮後半工程；（ち）  第２水槽１ｂ内の水面が低下すると共に第２浮子３ｂが下行し，第３浮子３ｃ〜３ｃが（図３７に示す如く）順次上昇する二度目下げ潮途中の工程；（り）  第２浮子３ｂが下位でロックされ，第３浮子３ｃ〜３ｃが全部上昇する二度目干潮前半の工程；（ぬ）  第３弁２ｃが開いて水が抜け、第３浮子３ｃが降下し、下位で第３ロック装置５ｃによりロックされ，第４浮子３ｄが上昇を始める二度目干潮後半の工程；（る）  水が第２，３水槽１ｂ，１ｃ内に入り，第４浮子３ｄ〜３ｄが（図３８に示す如く）順次上昇する二度目上げ潮途中の工程；（を）  第２，３水槽１ｂ，１ｃ内の水面８１が満潮時の海面８０と同一水位になり，第４浮子３ｄ〜３ｄが全部上昇完了する一度目満潮前半の工程；（わ）  （い）〜（を）の繰り返し工程；の繰り返し工程時に、第１，２，３，４浮子３ａ，３ｂ，３ｃ，３ｄの上昇力を動力として取出し、動力伝達装置と動力変換装置を介して動力取出手段に伝えるようにしたものである。
【０００６】
請求項２の発明に係る回転力発生設備は、干潮時には海面より上位置になり且つ満潮時には，上部が海面上に突出する四つの第１水槽１ａ，第２水槽１ｂ，第３水槽１ｃ，第４水槽１ｄを設け，各水槽の底には上方から開閉操作可能な第１弁２ａ，第２弁２ｂ，第３弁２ｃ，第４弁２ｄをそれぞれ設け、各水槽内の水面の上位置において，約６時間の間に順次第１ガイド６ａ，第２ガイド６ｂ，第３ガイド６ｃ，第４ガイド６ｄに沿って上昇する各水槽１２個の第１浮子３ａ，第２浮子３ｂ，第３浮子３ｃ，第４浮子３ｄを設け；（い）  第２，３弁２ｂ，２ｃが閉じ，第４弁２ｄが開き，第１浮子３ａが上昇を始める一度目満潮後期の工程；（ろ）  第４水槽１ｄの水面８１が下がり始め，第４浮子３ｄも下がり始め，第１浮子３ａ〜３ａが（図３５に示す如く）順次上昇する一度目下げ潮途中の工程；（は）  第１浮子３ａが全部上昇し；第４水槽１ｄが空になり，第４浮子３ｄが下位でロックされる一度目干潮前半の工程；（に）  第１弁２ａが開き，第１水槽１ａの水が抜け，第１浮子３ａが下位でロックされ，第２浮子３ｂが上昇を始める一度目干潮後半の工程；（ほ）  第１，４水槽１ａ，１ｄに水が入り始め，第２浮子３ｂ〜３ｂが（図３６に示す如く）順次上昇する一度目上げ潮途中の工程；（へ）  第１，４水槽１ａ，１ｄの水位が上位置になり，第２浮子３ｂ全部が上位置になる二度目満潮前半の工程；（と）  第１，４弁２ａ，２ｄが閉じ，第２弁２ｂが開き，第３浮子３ｃが上昇を始める二度目満潮後半工程；（ち）  第２水槽１ｂ内の水面が低下すると共に第２浮子３ｂが下行し，第３浮子３ｃ〜３ｃが（図３７に示す如く）順次上昇する二度目下げ潮途中の工程；（り）  第２浮子３ｂが下位でロックされ，第３浮子３ｃ〜３ｃが全部上昇する二度目干潮前半の工程；（ぬ）  第３弁２ｃが開いて水が抜け、第３浮子３ｃが降下し、下位で第３ロック装置５ｃによりロックされ，第４浮子３ｄが上昇を始める二度目干潮後半の工程；（る）  水が第２，３水槽１ｂ，１ｃ内に入り，第４浮子３ｄ〜３ｄが（図３８に示す如く）順次上昇する二度目上げ潮途中の工程；（を）  第２，３水槽１ｂ，１ｃ内の水面８１が満潮時の海面８０と同一水位になり，第４浮子３ｄ〜３ｄが全部上昇完了する一度目満潮前半の工程；（わ）  （い）〜（を）の繰り返し工程；の繰り返し工程時に、第１，２，３，４浮子３ａ，３ｂ，３ｃ，３ｄの上昇力を動力として取出し、取出した動力を動力伝達装置４０を介して、動力変換装置５０の前軸６０に伝え、羽根車状に形成した上昇変換ユニット５９内のスライドウエイト５７の移動をエンドレスベルト５８を介して突出滑車６４に伝え，突出滑車６４の回動をループベルト６５を介して後軸６１に回動可能に嵌合した複合滑車６３に伝え，複合滑車６３から動力取出手段６６を介して外力として取出すことを特徴とするものである。
【０００７】
請求項３の発明に係る回転力発生設備は、干潮時には海面より上位置になり且つ満潮時には，上部が海面上に突出する四つの第１水槽１ａ，第２水槽１ｂ，第３水槽１ｃ，第４水槽１ｄを設け，各水槽の底には上方から開閉操作可能な第１弁２ａ，第２弁２ｂ，第３弁２ｃ，第４弁２ｄをそれぞれ設け、各水槽内の水面の上位置において，約６時間の間に順次第１ガイド６ａ，第２ガイド６ｂ，第３ガイド６ｃ，第４ガイド６ｄに沿って上昇する各水槽１２個の第１浮子３ａ，第２浮子３ｂ，第３浮子３ｃ，第４浮子３ｄを設け；（い）  第２，３弁２ｂ，２ｃが閉じ，第４弁２ｄが開き，第１浮子３ａが上昇を始める一度目満潮後期の工程；（ろ）  第４水槽１ｄの水面８１が下がり始め，第４浮子３ｄも下がり始め，第１浮子３ａ〜３ａが（図３５に示す如く）順次上昇する一度目下げ潮途中の工程；（は）  第１浮子３ａが全部上昇し；第４水槽１ｄが空になり，第４浮子３ｄが下位でロックされる一度目干潮前半の工程；（に）  第１弁２ａが開き，第１水槽１ａの水が抜け，第１浮子３ａが下位でロックされ，第２浮子３ｂが上昇を始める一度目干潮後半の工程；（ほ）  第１，４水槽１ａ，１ｄに水が入り始め，第２浮子３ｂ〜３ｂが（図３６に示す如く）順次上昇する一度目上げ潮途中の工程；（へ）  第１，４水槽１ａ，１ｄの水位が上位置になり，第２浮子３ｂ全部が上位置になる二度目満潮前半の工程；（と）  第１，４弁２ａ，２ｄが閉じ，第２弁２ｂが開き，第３浮子３ｃが上昇を始める二度目満潮後半工程；（ち）  第２水槽１ｂ内の水面が低下すると共に第２浮子３ｂが下行し，第３浮子３ｃ〜３ｃが（図３７に示す如く）順次上昇する二度目下げ潮途中の工程；（り）  第２浮子３ｂが下位でロックされ，第３浮子３ｃ〜３ｃが全部上昇する二度目干潮前半の工程；（ぬ）  第３弁２ｃが開いて水が抜け、第３浮子３ｃが降下し、下位で第３ロック装置５ｃによりロックされ，第４浮子３ｄが上昇を始める二度目干潮後半の工程；（る）  水が第２，３水槽１ｂ，１ｃ内に入り，第４浮子３ｄ〜３ｄが（図３８に示す如く）順次上昇する二度目上げ潮途中の工程；（を）  第２，３水槽１ｂ，１ｃ内の水面８１が満潮時の海面８０と同一水位になり，第４浮子３ｄ〜３ｄが全部上昇完了する一度目満潮前半の工程；（わ）  （い）〜（を）の繰り返し工程；の繰り返し工程時に、第１，２，３，４浮子３ａ，３ｂ，３ｃ，３ｄの上昇力を動力として取出し、取出した動力を動力伝達装置４０を介して，動力変換装置５０の前軸６０に伝え、羽根車状に形成した上昇変換ユニット５９内のスライドウエイト５７の移動をエンドレスベルト５８を介して突出滑車６４に伝え，突出滑車６４の回動をループベルト６５を介して後軸６１に回動可能に嵌合した複合滑車６３に伝え，複合滑車６３から動力取出手段６６を介して外力として取出し，後軸６１の後端に嵌合固着した円盤７４の後面に画いた仮想円に沿い，枢軸７２によって軸支したバランスアーム７３が後軸の６１より上位置にあるときは，折れ曲がって後軸の中心線に近接し且つ後軸６１より下位置にあるときは，半径方向外側下方に展開し、後軸に対する回転モーメントを大きくすることを特徴とするものである。
【発明の効果】
【０００８】
請求項１の発明によれば、四つの異なる水槽１ａ，１ｂ，１ｃ，１ｄ中の浮子３ａ，３ｂ，３ｃ，３ｄを定時間間隔で連続的に上昇させるので、滑らかな回動力を発生させることが出来る。また、各水槽１ａ，１ｂ，１ｃ，１ｄ内を多数の浮子３ａ，３ｂ，３ｃ，３ｄが連続的に上昇するので、全体として大きなエネルギーを発生させることが出来る。
【０００９】
請求項２の発明は、請求項１の発明の効果に加え、上昇変換ユニット５９内を移動するスライドウエイト５７により、入力に比べ著しく回転数を上げた出力を得ることが出来る。
【００１０】
請求項３の発明は、請求項１、２の発明の効果に加え、バランスアーム７３により、回転モーメントを大きくすることが出来る。
【発明を実施するための最良の形態】
【００１１】
本発明に係る回転力発生設備１０は、主となる潮干満利用回転力発生装置２０と、それに続く動力伝達装置４０と、動力伝達装置４０に続き必要に応じ設けられる動力変換装置５０と、動力変換装置５０に続き必要に応じ設けられる動力増力装置７０から構成されている。なお、図２中、８２は地面、８３は堤防である。
【００１２】
図１〜図２５を参考にして、回転力発生装置２０について説明する。底に上方から遠隔操作可能な弁２（第１弁２ａ，第２弁２ｂ，第３弁２ｃ，第４弁２ｄ）を設けた４個の水槽１（第１水槽１ａ，第２水槽１ｂ，第３水槽１ｃ，第４水槽１ｄ）がある。
【００１３】
各水槽１内には、それぞれ１２個の上下方向ガイド６（第１ガイド６ａ，第２ガイド６ｂ，第３ガイド６ｃ，第４ガイド６ｄ）が設けられており、各ガイド６に沿って上下移動可能に浮子３（第１浮子３ａ，第２浮子３ｂ，第３浮子３ｃ，第４浮子３ｄ）が設けられている。
【００１４】
浮子３には、上ローラー７（第１上ローラー７ａ，第２上ローラー７ｂ，第３上ローラー７ｃ，第４上ローラー７ｄ）と下ローラー（第１下ローラー８ａ，第２下ローラー８ｂ，第３下ローラー８ｃ，第４下ローラー８ｄ）を介してエンドレスロープ４から張架されており、浮子３の上昇と共に浮子３の上昇工程のみ回転を許す爪片付フリホイールクラックを介して、上ローラー７は、回転軸９（第１回転軸９ａ，第２回転軸９ｂ，第３回転軸９ｃ，第４回転軸９ｄ）を回すようになっている。
【００１５】
フリーホイールクラッチの一例を図４に示す。駆動側回転部材９０の外周に凹設した窪み９２にＶ形バネ９３を配して爪片９４がピン９５によって駆動可能に枢支されており、外側に嵌った被動側回転部材９１のラチット凹み９７の半径方向壁９８に爪片９４が当接して図４の（イ）に示す如く被動側回転部材９１を回し、被動側回転部材９１の回転速度が速いときには、図４（ロ）に如く爪片９４が窪み９２内に没入して駆動側回転部材９０は空回りし、駆動側回転部材９０は従動回転しない。
【００１６】
浮子３が最下位になるときエンドレスロープ４を固定するロック装置５（第１ロック装置５ａ，第２ロック装置５ｂ，第３ロック装置５ｃ，第４ロック装置５ｄ）が設けられている。
【００１７】
［１］初期工程
［１．１］干潮  図５参照
海面８０が水槽１より下位にある。
弁２が開いている。
浮子３はロック装置５により下位置に固定されている。
【００１８】
［１．２］満潮（その１）  図６参照
海面８０が満潮になる。水槽１内の水面８１は、満潮海面８０と同一の高位置にある。
［１．３］満潮（その２）  図７参照
弁２が閉じる。
【００１９】
［１．４］下げ潮途中  図８参照  矢印は海面の変位方向を示す。
下げ潮時に、第１ロック装置５ａ〜５ａを同一時間間隔で解放する。６時間の間、第１浮子３ａ〜３ａが（図３５に示す如く）順次上昇して第１回転軸９ａへ回転を伝える。
【００２０】
［１．５］干潮（その１）  図９参照
干潮時、第１浮子３ａ〜３ａが全部上昇している。
［１．６］干潮（その２）  図１０参照
第１弁２ａが開いて、第１水槽１ａ内の水を空にすると共に降下した第１浮子３ａを第１ロック装置５ａでロックする。
第２浮子３ｂ〜３ｂが順次上昇を開始する。
【００２１】
［１．７］上げ潮途中  図１１参照  矢印は海面の変位方向を示す。
干潮から満潮へ移る過程で、第２浮子３ｂ〜３ｂを（図３６に示す如く）順次上昇させて第２回転軸９ｂを回すと共に、第１水槽１ａ内に水が導入される。
【００２２】
［１．８］満潮（その１）  図１２参照
満了時、第２浮子３ｂ〜３ｂが全部上昇完了する。
【００２３】
［２］繰返し工程
［２．１］満潮（その２）  図１３参照
第１弁２ａが閉じる。
第２弁２ｂが開く。
第３浮子３ｃが上昇を始める。
【００２４】
［２．２］下げ潮途中  図１４参照  矢印は海面の低下方向を示す。
第２水槽１ｂ内の水面が低下すると共に、第２浮子３ｂが下行する。
第３浮子３ｃ〜３ｃが（図３７に示す如く）順次上昇して第３回転軸９ｃを回す。
【００２５】
［２．３］干潮（その１）  図１５参照
第２浮子３ｂが下位でロックされる。
第３浮子３ｃ〜３ｃが全部上昇する。
［２．４］干潮（その２）  図１６参照
第３弁２ｃが開いて水が抜け、第３浮子３ｃが降下し、下位で第３ロック装置５ｃによりロックされる。
第４浮子３ｄが上昇を始める。
【００２６】
［２．５］上げ潮途中  図１７参照  矢印は海面の上昇方向を示す。
水が第２，３水槽１ｂ，１ｃ内に入る。
第４浮子３ｄ〜３ｄが（図３８に示す如く）順次上昇し、第４出力軸９ｄを回す。
【００２７】
［２．６］満潮（その１）  図１８参照
第２，３水槽１ｂ，１ｃ内の水面８１が満潮時の海面８０と同一水位になる。
第４浮子３ｄ〜３ｄが全部上昇完了する。
［２．７］満潮（その２）  図１９参照
第２，３弁２ｂ，２ｃが閉じる。
第４弁２ｄが開く。
第１浮子３ａが上昇を始める。
【００２８】
［２．８］下げ潮途中  図２０参照
第４水槽１ｄの水面８１が下がり始め、第４浮子３ｄも下がり始める。第１浮子３ａ〜３ａが（図３５に示す如く）順次上昇して第１回転軸９ａが回転する。
【００２９】
［２．９］干潮（その１）  図２１参照
第１浮子３ａが全部上昇する。
第４水槽１ｄが空になり、第４浮子３ｄが下位でロックされる。
［２．１０］干潮（その２）  図２２参照
第１弁２ａが開き、第１水槽１ａの水が抜け、第１浮子３ａは下位でロックされる。
第２浮子３ｂが上昇を始める。
【００３０】
［２．１１］上げ潮途中  図２３参照  矢印は海面の上昇方向を示す。
第１，４水槽１ａ，１ｄに水が入り始める。
第３浮子３ｂ〜３ｂが順次上昇して、第２回転軸９ｂを回す。
【００３１】
［２．１２］満潮（その１）  図２４参照
第１，４水槽１ａ，１ｄの水位が上位置になる。
第２浮子３ｂ全部が上位置になる。
［２．１３］満潮（その２）  図２５参照
第２，４弁２ａ，２ｄが閉じる。
第２弁２ｂが開く。
第３浮子３ｃが上昇を始める。
【００３２】
［２．１］と［２．１３］は同一状態で、以下［２．１］〜［２．１２］
の動位が繰返され、第１〜４回転軸９ａ〜９ｄのいずれかが常に回動している。
【００３３】
回転軸９ａ〜９ｄの回転は、動力伝達装置４０の歯車４１，チェーン４２を介して、動力変換装置５０の前軸６０に伝えられる。
【００３４】
図１，図２，図２６〜図３３を参考にして、動力変換装置５０について説明する。変換装置５０は、３つの長方形状をした上昇変換ユニット５９の中心を合わせ、等角度間隔の６枚の羽根車状に重積配置して相互に固着した部分（正六角状の部分）を有している。仮想中心軸Ｍ−Ｍの一方側の上昇変換ユニット５９には、前軸６０が同心に固着され、他方側の上昇変換ユニット５９には後軸６１が「同心に固着されている。
【００３５】
図２７〜図３３を参考にして、各上昇変換ユニット５９について説明する。長方形枠箱５６の表裏両面の短辺部には長方形端板６８が設けられ、中央には六角板が設けられ、四隅内側には、それぞれ滑車５１が軸支されている。４個の滑車軸５２，５３のうちの１本５３が外方に大きく突出し、この長尺滑車軸５３は、軸受５４を介して、回転自在に支承され、且つ長尺滑車軸５３と滑車５１との間には、一方向のみに回転を許すフリーホイールクラッチを配して支持されている。なお、複数個の上昇変換ユニット５９の長尺滑車軸５３の長さはそれぞれ異なっている。
【００３６】
枠箱５６長辺に沿って配置された２本のエンドレスベルト５８，５８が２隅の滑車５１，５１間に張架されている。枠箱５６内にはエンドレスベルト５８及び滑車５１，５１と干渉しない状態で往復移動可能なスライドウエイト５７が配置され、スライドウエイト５７と各エンドレスベルト５８，５８とは１箇所でスクリューピン状連結具５５によって連結されている。それ故、スライドウエイト５７が一端Ａからストッパー６７によって位置決めされた終端Ｂに移動するとエンドレスベルト５８がフリーホイールクラッチを介して長尺滑車軸５３が回転し、またスライドウエイト５７が他端Ｂからストッパー６７によって位置決めされた一端Ａに移動するときは、フリーホイールクラッチの機能により長尺滑車軸５３は回転しない。以上により、上昇変換ユニット５９が構成されている。
【００３７】
等角度間隔で放射状に配置した複数個の上昇変換ユニット５９の仮想中心軸Ｍ−Ｍが一致する状態で隣接する枠箱５６の中央の六角板６９，６９同士が相互に固着されている。また、仮想中心軸Ｍ−Ｍと同軸に前後軸６０，６１の基端が枠箱５６群の両端の六角板６９に立設固着されている。
【００３８】
後軸６１には、変換ユニット５９の数プラス１（合計４）の溝６２を有する複合滑車６３が回転自在に支承され、前記長尺滑車軸５３の先端に嵌合固着した突出滑車６４との間にループベルト６５が張架されている。複数の突設滑車６４は、仮想中心軸方向にずれた位置にあり、突設滑車６４に嵌めたループベルト６５はそれぞれ異なる複合滑車６３の溝６２に嵌まっている。
【００３９】
枠箱５６が水平位置から回動変位すると、高くなった位置Ａのスライドウエイト５７が低い位置Ｂに移動し、スライドウエイト５７の重力によって、ループベルト５８を回転させる。このとき、滑車５１が回り、突出滑車６４，ループベルト６５を介して複合滑車６３を大きく増速して回す。
【００４０】
増速回転した複合滑車の回転出力は、最終ベルト６６によって、発電機等の原動力として取出される。
【００４１】
図２，図３４を参考にして、増力装置７０について説明する。後軸６１の後方延長部には、円盤７４が嵌合固着され、円盤７４に固着したブラケット７２によって仮想円錐面の母線に対して傾いた長径側が回転方向に進んだヘリカル方向での枢軸７５を介してバランスアーム７３が軸支されている。
【００４２】
枢軸７５の下死点においては、下方向に垂れさがっていたバランスアーム７３は、円盤７４の回動と共に遅れ方向の角度を大きくしながら上昇する。枢軸７５が上死点を越えたのち、バランスアーム７３の重心が枢軸７５を越える変化をすると、バランスアーム７３は枢軸７５を中心に進行方向に急に倒れ、急発生のモーメントを生じスライドウエイト５７が移動下行して、Ｂ点に至ったときの衝撃を緩動する。
【図面の簡単な説明】
【００４３】
【図１】本発明に係る設備全体の概略正面図である。
【図２】本発明に係る設備全体の概略側面図である。
【図３】図２のＹ−Ｙ相当断面図である。
【図４】フリーホイールクラッチの正面図で、（イ）は原動軸から被動軸へ伝わり、（ｂ）は被動軸のみ矢印方向に空転している状態を示している。
【図５】回転力発生装置の要部の正面図で、初期工程の干潮状態をエンドレスロープを省略して示している。
【図６】同上の満潮状態前期の状態図で、エンドレスロープを省略して示してある。
【図７】同上の満潮状態後期の状態図で、エンドレスロープを省略して示してある
【図８】同上の下げ潮途中の状態図で、エンドレスロープを省略して示してある。
【図９】同上の干潮状態前期の状態図で、エンドレスロープを省略して示してある。
【図１０】同上の干潮状態後期の状態図で、エンドレスロープを省略して示してある。
【図１１】同上の上げ潮途中の状態図で、エンドレスロープを省略して示してある。
【図１２】同上の満干状態前期の状態図で、エンドレスロープを省略して示してある
【図１３】前記満潮状態後期で繰返し工程の状態図で、エンドレスロープを省略して示してある。
【図１４】同上の下げ潮途中の状態図で、エンドレスロープを省略して示してある。
【図１５】同上の干潮状態前期の状態図で、エンドレスロープを省略して示してある。
【図１６】同上の干潮状態後期の状態図で、エンドレスロープを省略して示してある。
【図１７】同上の上げ潮途中の状態図で、エンドレスロープを省略して示してある。
【図１８】同上の満潮状態前期の状態図で、エンドレスロープを省略して示してある。
【図１９】同上の満潮状態後期の状態図で、エンドレスロープを省略して示してある。
【図２０】同上の下げ潮途中の状態図で、エンドレスロープを省略して示してある。
【図２１】同上の干潮状態前期の状態図で、エンドレスロープを省略して示してある
【図２２】同上の干潮状態後期の状態図で、エンドレスロープを省略して示してある。
【図２３】同上の上げ潮途中の状態図で、エンドレスロープを省略して示してある。
【図２４】同上の満潮前期の状態図で、エンドレスロープを省略して示してある。
【図２５】同上の満潮後期の状態図で、エンドレスロープを省略して示してある。
【図２６】動力変換装置の側面図で、エンドレスロープを省略して示してある。
【図２７】上昇変換ユニットを示すもので、図３０のＴ−Ｔ線断面図である。
【図２８】上昇変換ユニットの背面図である。
【図２９】上昇変換ユニットの正面図である。
【図３０】図２７のＲ−Ｒ線断面図である。
【図３１】図２７のＰ−Ｐ線断面図である。
【図３２】図２７のＱ−Ｑ線断面図である。
【図３３】図２７のＳ−Ｓ線断面図である。
【図３４】増力装置を示す斜視図である。
【図３５】（イ）は図２の第１水槽部分を取出した側面図である。（ロ）は図３の第１水槽部分を取出した平面図である。
【図３６】（イ）は図２の第２水槽部分を取出した側面図である。（ロ）は図３の第２水槽部分を取出した平面図である。
【図３７】（イ）は図２の第３水槽部分を取出した側面図である。（ロ）は図３の第３水槽部分を取出した平面図である。
【図３８】（イ）は図２の第４水槽部分を取出した側面図である。（ロ）は図３の第４水槽部分を取出した平面図である。
【符号の説明】
【００４４】
１，１ａ〜ｄ    水槽
２，２ａ〜ｄ    弁
３，３ａ〜ｄ    浮子
４          エンドレスロープ
５，５ａ〜ｄ    ロック
６        （上下方向）ガイド
７          上ローラー
８          下ローラー
９          回転軸
２０        回転力発生装置
２１        歯車無端鎖
４０        動力伝達装置
４１        歯車
４２        チェーン
５０        動力変換装置
５１        滑車（四隅の）
５２        滑車軸
５３        長軸滑車軸
５４        軸受
５５        スクリュー状連結具
５６        枠箱
５７        スライドウエイト
５８        エンドレスベルト
５９        上昇変換ユニット
６０        前軸
６１        後軸
６２        溝
６３        複合滑車
６４        突出滑車
６５        ループベルト
６６        動力取出手段
６７        ストッパーピン
６８        長方形端板
６９        中央六角板
７０        動力増力装置
７２        ブラケット
７３        バランスアーム
７４        円盤
７５        枢軸
８０        海面
８１        水面
８２        地面
８３        堤防
９０        駆動側回転部材
９１        被動側回転部材
９２        窪み
９３        バネ
９４        爪片
９５        ピン
９７        ラチット用凹み
９８        半径方向壁
Ａ          スライドウエイトの移動位置
Ｂ          スライドウエイトの移動位置
【図１】
0005173401.tif 000002
【図２】
0005173401.tif 000003
【図３】
0005173401.tif 000004
【図４】
0005173401.tif 000005
【図５】
0005173401.tif 000006
【図６】
0005173401.tif 000007
【図７】
0005173401.tif 000008
【図８】
0005173401.tif 000009
【図９】
0005173401.tif 000010
【図１０】
0005173401.tif 000011
【図１１】
0005173401.tif 000012
【図１２】
0005173401.tif 000013
【図１３】
0005173401.tif 000014
【図１４】
0005173401.tif 000015
【図１５】
0005173401.tif 000016
【図１６】
0005173401.tif 000017
【図１７】
0005173401.tif 000018
【図１８】
0005173401.tif 000019
【図１９】
0005173401.tif 000020
【図２０】
0005173401.tif 000021
【図２１】
0005173401.tif 000022
【図２２】
0005173401.tif 000023
【図２３】
0005173401.tif 000024
【図２４】
0005173401.tif 000025
【図２５】
0005173401.tif 000026
【図２６】
0005173401.tif 000027
【図２７】
0005173401.tif 000028
【図２８】
0005173401.tif 000029
【図２９】
0005173401.tif 000030
【図３０】
0005173401.tif 000031
【図３１】
0005173401.tif 000032
【図３２】
0005173401.tif 000033
【図３３】
0005173401.tif 000034
【図３４】
0005173401.tif 000035
【図３５】
0005173401.tif 000036
【図３６】
0005173401.tif 000037
【図３７】
0005173401.tif 000038
【図３８】
0005173401.tif 000039